(57)【要約】【課題】右眼用画像と左眼用画像との混在が利用者に知覚されることを抑制しながら表示画像の明度を向上させる。【解決手段】複数の画素回路ＰIXは、複数の走査線３２および複数の信号線３４の各交差に対応して配置され、走査線３２の選択時における信号線３４の階調信号Ｘ[n]に応じた階調を表示する液晶素子ＣLを含む。駆動回路４０は、右眼用期間ＰRの第１書込期間Ｗ1にて複数の走査線３２を選択単位として順次に選択し、選択単位内の特定走査線３２に対応する右眼用画像ＧRの指定階調に応じた階調信号Ｘ[n]を各画素回路ＰIXに供給し、第２書込期間Ｗ2では、特定走査線３２以外の走査線３２を順次に選択して当該走査線３２に対応する指定階調に応じた階調信号Ｘ[n]を各画素回路ＰIXに供給する。【選択図】図１
2015179296.tif 000002
【特許請求の範囲】
【請求項１】
右眼用シャッターと左眼用シャッターとを含む立体視用眼鏡で立体視される右眼用画像および左眼用画像を表示する電気光学装置であって、
相互に交差する走査線および信号線と、
前記走査線と前記信号線との交差に対応して配置された画素と、
交互に設けられる右眼用期間および左眼用期間の各々に含まれる第１書込期間において複数の前記走査線を選択単位として順次に選択し、前記右眼用画像または前記左眼用画像のうち前記複数の走査線における特定走査線に対応する画素の画像信号を前記信号線に供給し、前記第１書込期間の経過後の第２書込期間において、前記複数の走査線のうち前記特定走査線以外の走査線を順次に選択し、前記右眼用画像または前記左眼用画像のうち前記特定走査線以外の走査線に対応する画素の画像信号を前記信号線に供給する駆動回路と、
前記右眼用シャッターおよび前記左眼用シャッターの各々の開閉を制御する眼鏡制御回路とを具備し、
前記右眼用期間および前記左眼用期間は、複数の単位期間を含み、前記複数の単位期間の各々が、前記第１書込期間と前記第２書込期間とを含み、
前記駆動回路は、前記右眼用期間および前記左眼用期間の各々において、相前後する各単位期間で前記画素の印加電圧が逆極性となるように、前記信号線に画像信号を供給し、
前記眼鏡制御回路は、前記右眼用期間の最初の単位期間における前記第１書込期間の終点から当該右眼用期間の終点まで、当該右眼用期間の４分の３以上の時間長にわたり前記右眼用シャッターを開状態に制御することで前記右眼用画像を観察者の右眼により視認可能な状態を継続する一方、前記左眼用期間の最初の単位期間における前記第１書込期間の終点から当該左眼用期間の終点まで、当該左眼用期間の４分の３以上の時間長にわたり前記左眼用シャッターを開状態に制御することで前記左眼用画像を観察者の左眼により視認可能な状態を継続する
ことを特徴とする電気光学装置。
【請求項２】
前記右眼用期間および前記左眼用期間の各々は、偶数個の前記単位期間を含む
ことを特徴とする請求項１に記載の電気光学装置。
【請求項３】
前記駆動回路は、前記右眼用期間および前記左眼用期間の各々の前記第１書込期間にて前記選択単位として選択する前記複数の走査線の組合せを前記第１書込期間毎に変化させる
ことを特徴とする請求項１または請求項２の電気光学装置。
【請求項４】
前記駆動回路は、前記右眼用期間および前記左眼用期間の各々において、一の第１書込期間にて前記選択単位として選択する前記複数の走査線の組合せと、他の第１書込期間にて前記選択単位として選択する前記複数の走査線の組合せとが走査線の１行分だけずれた関係となるように各第１書込期間にて前記選択単位として選択する前記複数の走査線の組合せを選定する
ことを特徴とする請求項３の電気光学装置。
【請求項５】
前記駆動回路は、相互に隣り合う２本の走査線の組合せを前記選択単位として順次に選択する
ことを特徴とする請求項１から請求項４の何れかの電気光学装置。
【請求項６】
請求項１から請求項５の何れかの電気光学装置を具備する電子機器。
【発明の詳細な説明】
【技術分野】
【０００１】
本発明は、観察者が立体感を知覚するように相互に視差が付与された右眼用画像と左眼用画像とを表示する技術に関連する。
【背景技術】
【０００２】
右眼用画像と左眼用画像とを時分割で交互に表示するフレームシーケンシャル方式の立体視方法が従来から提案されている。右眼用画像および左眼用画像の一方が他方に変化する期間では右眼用画像と左眼用画像とが混在するから、観察者が画像を視認すると明確な立体感を認識することが困難となる（クロストーク）。以上の問題を解決するために、例えば特許文献１には、右眼用画像および左眼用画像の一方が他方に変化する期間（すなわち右眼用画像と左眼用画像とが混在する期間）において立体視用眼鏡の右眼用シャッターおよび左眼用シャッターの双方を閉状態として観察者に画像を視認させない技術が開示されている。
【０００３】
具体的には、図１０に示すように、右眼用画像に対応する右眼用期間と左眼用画像に対応する左眼用期間とが交互に設定される。右眼用期間の前半期間では表示画像が左眼用画像から右眼用画像に更新されるとともに後半期間では右眼用画像が表示され、左眼用期間の前半期間では表示画像が右眼用画像から左眼用画像に更新されるとともに後半期間では左眼用画像が表示される。右眼用期間および左眼用期間の各々の前半期間では、右眼用シャッターおよび左眼用シャッターの双方が閉状態に制御される。したがって、右眼用画像と左眼用画像との混在（クロストーク）は観察者に知覚されない。
【先行技術文献】
【特許文献】
【０００４】
【特許文献１】特開２００９−２５４３６号公報
【発明の概要】
【発明が解決しようとする課題】
【０００５】
しかし、特許文献１の技術のもとでは、利用者が実際に画像を視認できる期間が、右眼用期間および左眼用期間の各々における後半期間（すなわち約半分）に制限される。したがって、表示画像の明度を充分に確保することが困難であるという問題がある。以上の事情を考慮して、本発明は、右眼用画像と左眼用画像との混在が利用者に知覚されることを抑制しながら表示画像の明度を向上させることを目的とする。
【課題を解決するための手段】
【０００６】
以上の課題を解決するために、本発明の電気光学装置は、相互に交差する複数の走査線および複数の信号線と、交互に設定される右眼用期間および左眼用期間の各々に含まれる複数の単位期間の各々の第１書込期間において複数の走査線を選択単位として選択期間毎に順次に選択し、右眼用期間および左眼用期間の各々の各単位期間のうち第１書込期間の経過後の第２書込期間において、直前の第１書込期間での各選択単位のうち特定走査線以外の走査線を選択期間毎に順次に選択する走査線駆動回路と、右眼用期間の各第１書込期間内の選択期間毎に、右眼用画像のうち当該選択期間での選択単位内の特定走査線により選択される画素を指定階調とする階調信号を各信号線に供給し、右眼用期間の各第２書込期間内の選択期間毎に、右眼用画像のうち当該選択期間で選択される走査線により選択される画素を指定階調とする階調信号を各信号線に供給する一方、左眼用期間の各第１書込期間内の選択期間毎に、左眼用画像のうち当該選択期間での選択単位内の特定走査線により選択される画素を指定階調とする階調信号を各信号線に供給し、左眼用期間の各第２書込期間内の選択期間毎に、左眼用画像のうち当該選択期間で選択される走査線により選択される画素を指定階調とする階調信号を各信号線に供給する信号線駆動回路とを具備する。
【０００７】
以上の構成においては、右眼用期間および左眼用期間の各々の第１書込期間では走査線を複数本（選択単位）ずつ順次に選択して各画素回路に階調信号を供給するから、右眼用期間および左眼用期間の最初に走査線を１本単位で順次に選択して各画素回路に階調信号を供給する構成と比較して、右眼用画像と左眼用画像とが混在する期間が短縮される。したがって、右眼用画像と左眼用画像とが混在する期間内で立体視用眼鏡の右眼用シャッターおよび左眼用シャッターの双方を閉状態に制御することで右眼用画像と左眼用画像との混在が利用者に知覚されることを抑制する場合でも表示画像の明度を向上させることが可能である。また、第１書込期間では表示画像の解像度が低下するが、直後の第２書込期間では特定走査線以外の走査線に対応する各画素回路に階調信号が供給されるから、表示画像の解像度の低下を観察者に知覚され難くすることが可能である。
【０００８】
本発明の好適な態様は、右眼用シャッターと左眼用シャッターとを含む立体視用眼鏡で立体視される右眼用画像および左眼用画像を表示する電気光学装置であって、右眼用期間において左眼用シャッターを閉状態に制御するとともに当該右眼用期間のうち最初の第１書込期間の始点から所定の時間が経過した時点で右眼用シャッターを閉状態から開状態に変化させ、左眼用期間において右眼用シャッターを閉状態に制御するとともに当該左眼用期間のうち最初の第１書込期間の始点から所定の時間が経過した時点で左眼用シャッターを閉状態から開状態に変化させる眼鏡制御回路を具備する。以上の態様においては、右眼用期間および左眼用期間の各々における最初の第１書込期間の始点から所定の時間が経過するまでの期間において、右眼用画像と左眼用画像との混在が利用者に知覚されることを防止できる。右眼用期間のうち最初の第１書込期間の終点にて右眼用シャッターを閉状態から開状態に変化させ、左眼用期間のうち最初の第１書込期間の終点にて左眼用シャッターを閉状態から開状態に変化させる構成によれば、右眼用画像と左眼用画像との混在を利用者に知覚され難くするという効果は格別に顕著となる。
【０００９】
本発明の好適な態様において、信号線駆動回路は、右眼用期間および左眼用期間の各々において、相前後する各単位期間で電気光学素子の印加電圧が逆極性となるように、各信号線に階調信号を供給する。以上の態様においては、電気光学素子の印加電圧が反転されるから、直流成分の印加に起因した電気光学素子（典型的には液晶素子）の特性劣化を防止できるという利点がある。以上の構成では特に、右眼用期間および左眼用期間の各々における単位期間毎に電気光学素子の印加電圧が反転されるから、例えば右眼用期間と左眼用期間とで電気光学素子の印加電圧を逆極性とする構成と比較して、電気光学素子に対する直流成分の印加を有効に防止できるという利点がある。右眼用期間および左眼用期間の各々が偶数個の単位期間を含む構成によれば、右眼用期間および左眼用期間の各々において電気光学素子に正極性電圧を印加する時間長と負極性電圧を印加する時間長とが均等化されるから、電気光学素子に対する直流成分の印加を防止できるという前述の効果は格別に顕著である。
【００１０】
本発明の好適な態様において、走査線駆動回路は、右眼用期間および左眼用期間の各々の第１書込期間にて選択単位として選択する複数の走査線の組合せを各単位期間内の第１書込期間毎に変化させる。以上の態様においては、第１書込期間にて階調信号が供給されて第２書込期間では階調信号が供給されない画素回路と第１書込期間および第２書込期間の双方で階調信号が供給される画素回路とが第１書込期間毎に変更されるから、階調信号の供給回数や供給間隔の相違に起因した表示斑が低減されるという利点がある。例えば、走査線駆動回路は、右眼用期間および左眼用期間の各々において、一の単位期間の第１書込期間にて選択単位として選択する複数の走査線の組合せと、他の単位期間の第１書込期間にて選択単位として選択する複数の走査線の組合せとが走査線の１行分だけずれた関係となるように各第１書込期間での選択単位を選定する。
【００１１】
以上の各態様に係る電気光学装置は表示体として各種の電子機器に採用される。例えば、以上の各態様に係る電気光学装置と、眼鏡制御回路が制御する立体視用眼鏡とを具備する立体視表示装置が、本発明の電子機器として例示される。
【図面の簡単な説明】
【００１２】
【図１】本発明の第１実施形態に係る立体視表示装置のブロック図である。
【図２】画素回路の回路図である。
【図３】立体視表示装置の動作の説明図である。
【図４】走査線駆動回路の動作の説明図である。
【図５】本発明の第２実施形態における走査線駆動回路の動作の説明図である。
【図６】第２実施形態に係る立体視表示装置の動作の説明図である。
【図７】電子機器（パーソナルコンピュータ）の斜視図である。
【図８】電子機器（携帯電話機）の斜視図である。
【図９】電子機器（投射型表示装置）の斜視図である。
【図１０】従来の技術における立体視動動作の説明図である。
【発明を実施するための形態】
【００１３】
＜Ａ：第１実施形態＞
図１は、本発明の第１実施形態に係る立体視表示装置１００のブロック図である。立体視表示装置１００は、観察者に立体感を知覚させる立体視画像をアクティブシャッター方式で表示する電子機器であり、電気光学装置１０と立体視用眼鏡２０とを具備する。電気光学装置１０は、右眼用画像ＧRと左眼用画像ＧLとを時分割で交互に表示する。
【００１４】
立体視用眼鏡２０は、電気光学装置１０が表示する立体視画像の視認時に観察者が装着する眼鏡型の器具であり、観察者の右眼の前方に位置する右眼用シャッター２２と左眼の前方に位置する左眼用シャッター２４とを具備する。右眼用シャッター２２および左眼用シャッター２４の各々は、照射光を透過させる開状態（透過状態）と照射光を遮断する閉状態（遮光状態）とに制御される。例えば印加電圧に応じて液晶の配向方向を変化させることで開状態および閉状態の一方から他方に変化する液晶シャッターが右眼用シャッター２２および左眼用シャッター２４として採用され得る。
【００１５】
図１の電気光学装置１０は、電気光学パネル１２と制御回路１４とを具備する。電気光学パネル１２は、複数の画素回路（画素）ＰIXが配列された画素部３０と、各画素回路ＰIXを駆動する駆動回路４０とを含む。画素部３０には、ｘ方向に延在するＭ本の走査線３２と、ｘ方向に交差するｙ方向に延在するＮ本の信号線３４とが形成される（ＭおよびＮは自然数）。画素部３０内の複数の画素回路ＰIXは、走査線３２と信号線３４との各交差に対応して縦Ｍ行×横Ｎ列の行列状に配列される。すなわち、ｘ方向に配列するＮ個の画素回路ＰIXの集合（以下「画素回路群」という）ＢのＭ行分がｙ方向に並列に設置される。
【００１６】
駆動回路４０は、走査線駆動回路４２と信号線駆動回路４４とを具備する。走査線駆動回路４２は、各走査線３２に対応する走査信号Ｙ[1]〜Ｙ[M]の供給で各走査線３２（各画素回路群Ｂ）を順次に選択する。走査信号Ｙ[m]（ｍ＝１〜Ｍ）が選択電位に設定されることで第ｍ行の走査線３２が選択される。信号線駆動回路４４は、走査線駆動回路４２による走査線３２の選択に同期してＮ本の信号線３４の各々に階調信号Ｘ[1]〜Ｘ[N]を供給する。階調信号Ｘ[n]（ｎ＝１〜Ｎ）は、外部回路から供給される画像信号での指定階調（表示画像の各画素値）に応じて電位ＶGが可変に設定される電圧信号であり、所定の基準電位に対する極性が周期的に反転する。
【００１７】
図２は、各画素回路ＰIXの回路図である。図２に示すように、各画素回路ＰIXは、液晶素子ＣLと選択スイッチＳWとを含む。液晶素子ＣLは、相対向する画素電極６２および共通電極６４と両電極間の液晶６６とで構成された電気光学素子である。画素電極６２と共通電極６４との間の印加電圧に応じて液晶６６の透過率（表示階調）が変化する。選択スイッチＳWは、走査線３２にゲートが接続されたＮチャネル型の薄膜トランジスターで構成され、液晶素子ＣLと信号線３４との間に介在して両者の電気的な接続（導通／絶縁）を制御する。走査信号Ｙ[m]が選択電位に設定されることで第ｍ行の各画素回路ＰIXにおける選択スイッチＳWが同時にオン状態に遷移する。各画素回路ＰIX（液晶素子ＣL）は、選択スイッチＳWがオン状態に制御されたとき（すなわち走査線３２の選択時）の階調信号Ｘ[n]の電位ＶGに応じた階調を表示する。なお、液晶素子ＣLに並列に補助容量を接続した構成も採用され得る。
【００１８】
図１の制御回路１４は、電気光学パネル１２を制御する表示制御回路１４２と、立体視用眼鏡２０を制御する眼鏡制御回路１４４を具備する。なお、表示制御回路１４２と眼鏡制御回路１４４とを単体の集積回路に搭載した構成や、表示制御回路１４２と眼鏡制御回路１４４とを別体の集積回路に分散した構成が採用され得る。表示制御回路１４２は、相互に視差が付与された右眼用画像ＧRと左眼用画像ＧLとが時分割で画素部３０に表示されるように駆動回路４０を制御する。具体的には、表示制御回路１４２は、駆動回路４０が以下の動作を実行するように駆動回路４０を制御する。
【００１９】
図３は、電気光学装置１０の動作の説明図である。電気光学装置１０の動作期間は、右眼用画像ＧRを表示するための右眼用期間ＰRと左眼用画像ＧLを表示するための左眼用期間ＰLとに区分される。各右眼用期間ＰRと各左眼用期間ＰLとは時間軸上に交互に配置される。右眼用期間ＰRおよび左眼用期間ＰLの各々は複数（偶数個）の単位期間Ｕを含む。第１実施形態では右眼用期間ＰRと左眼用期間ＰLの各々が２個の単位期間Ｕ（Ｕ1，Ｕ2）を含む場合を想定する。各単位期間Ｕは、第１書込期間Ｗ1と第２書込期間Ｗ2とに区分される。第２書込期間Ｗ2は第１書込期間Ｗ1に後続する。図３に示すように、第１書込期間Ｗ1および第２書込期間Ｗ2の各々は、表示制御回路１４２から走査線駆動回路４２および信号線駆動回路４４に供給される垂直同期信号ＶSYNCの１周期として規定される。
【００２０】
図４は、右眼用期間ＰRおよび左眼用期間ＰLの各々における各単位期間Ｕ（Ｕ1，Ｕ2）での走査線駆動回路４２の動作の説明図である。図４に示すように、走査線駆動回路４２は、各単位期間Ｕの第１書込期間Ｗ1において、相互に隣合う２本の走査線３２（画素回路群Ｂの２行分）を選択単位として選択期間Ｈ[1]〜Ｈ[K]にて順次に選択する。すなわち、各第１書込期間Ｗ1の第ｋ番目（ｋ＝１〜Ｋ）の選択期間Ｈ[k]では、奇数行の走査信号Ｙ[2k-1]と偶数行の走査信号Ｙ[2k]とが同時に選択電位に設定されることで、第(2k-1)行の走査線３２（奇数行の画素回路群Ｂ）と第2k行の走査線３２（偶数行の画素回路群Ｂ）とが同時に選択される。例えば選択期間Ｈ[1]では第１行の走査線３２と第２行の走査線３２とが同時に選択され、選択期間Ｈ[2]では第３行の走査線３２と第４行の走査線３２とが同時に選択される。したがって、第１書込期間Ｗ1内の選択期間Ｈ[k]の総数Ｋは、走査線３２の総数（画素回路群Ｂの行数）Ｍの半分に相当する（Ｋ＝Ｍ/２）。各選択期間Ｈ[k]で同時に選択される選択単位（２本の走査線３２）のうち１本の走査線３２（第１実施形態では第(2k-1)行の走査線３２）を以下では「特定走査線３２」と表記する。
【００２１】
他方、右眼用期間ＰRおよび左眼用期間ＰLの各々における各単位期間Ｕの第２書込期間Ｗ2において、走査線駆動回路４２は、直前の第１書込期間Ｗ1で選択した各選択単位のうち特定走査線３２以外の複数（Ｍ/２本）の走査線３２を選択期間Ｈ[1]〜Ｈ[K]にて１本ずつ順次に選択する。すなわち、第２書込期間Ｗ2内の第ｋ番目の選択期間Ｈ[k]では、走査信号Ｙ[2k]が選択電位に設定されることで第2k行の１本の走査線３２（第2k行の画素回路群Ｂ）が選択される。例えば選択期間Ｈ[1]では第２行の走査線３２が選択され、選択期間Ｈ[2]では第４行の走査線３２が選択される。したがって、各第２書込期間Ｗ2には第１書込期間Ｗ1と同様にＫ個（Ｍ/２個）の選択期間Ｈ[1]〜Ｈ[K]が含まれる。
【００２２】
図３に示すように、信号線駆動回路４４は、右眼用画像ＧRの各画素の指定階調（画素値）に応じた電位ＶGの階調信号Ｘ[1]〜Ｘ[N]を右眼用期間ＰR内の選択期間Ｈ[k]毎に各信号線３４に供給し、左眼用画像ＧLの各画素の指定階調に応じた電位ＶGの階調信号Ｘ[1]〜Ｘ[N]を左眼用期間ＰL内の選択期間Ｈ[k]毎に各信号線３４に供給する。図３に示すように、右眼用期間ＰRおよび左眼用期間ＰLの各々において、各画素回路ＰIXの液晶素子ＣLの印加電圧が前後の単位期間Ｕで逆極性となるように、各階調信号Ｘ[n]の電位ＶGの極性が単位期間Ｕ毎に順次に反転される。具体的には、階調信号Ｘ[n]の電位ＶGは、右眼用期間ＰRおよび左眼用期間ＰLの各々の単位期間Ｕ1では基準電位（例えば共通電極６４の電位）に対して正極性(+)に設定され、単位期間Ｕ2では基準電位に対して負極性(-)に設定される。
【００２３】
右眼用期間ＰRの各単位期間Ｕ（Ｕ1，Ｕ2）の第１書込期間Ｗ1のうち第(2k-1)行の走査線３２と第2k行の走査線３２とが同時に選択される選択期間Ｈ[k]において、信号線駆動回路４４は、右眼用画像ＧRのうち特定走査線３２（すなわち第(2k-1)行の走査線３２）に対応する各画素の指定階調に応じた電位ＶGの階調信号Ｘ[n]を各信号線３４に供給する。すなわち、図３に符号(A)で示すように、第１書込期間Ｗ1の選択期間Ｈ[k]では、第(2k-1)行および第2k行の各画素回路ＰIXに対して、右眼用画像ＧRのうち第(2k-1)行の各画素の指定階調ＧR[2k-1]に応じた電位ＶGが供給される。例えば、選択期間Ｈ[1]では、右眼用画像ＧRのうち第１行の各画素の指定階調ＧR[1]に応じた電位ＶGが第１行および第２行の各画素回路ＰIXに供給され、選択期間Ｈ[2]では、右眼用画像ＧRのうち第３行の各画素の指定階調ＧR[3]に応じた電位ＶGが第３行および第４行の各画素回路ＰIXに供給される。以上の通り、Ｙ方向に相互に隣合う各画素回路ＰIXには相等しい電位ＶGが供給されるから、第１書込期間Ｗ1が終了する時点では、Ｙ方向の解像度を半分に低下させた右眼用画像ＧRが画素部３０に表示される。
【００２４】
左眼用期間ＰLの各単位期間Ｕの第１書込期間Ｗ1でも同様に、図３に符号(C)で示すように、左眼用画像ＧLのうち第(2k-1)行の各画素の指定階調ＧL[2k-1]に応じた電位ＶGの階調信号Ｘ[n]が、第(2k-1)行および第2k行の各画素回路ＰIXに供給される。すなわち、例えば選択期間Ｈ[1]では、左眼用画像ＧLのうち第１行の各画素の指定階調ＧL[1]に応じた電位ＶGが第１行および第２行の各画素回路ＰIXに供給され、選択期間Ｈ[2]では、左眼用画像ＧLのうち第３行の各画素の指定階調ＧL[3]に応じた電位ＶGが第３行および第４行の各画素回路ＰIXに供給される。以上に説明した通り、右眼用期間ＰRおよび左眼用期間ＰLの各々の第１書込期間Ｗ1では、各画素回路ＰIXに対する電位ＶGの供給（書込）が選択期間Ｈ[k]毎に画素回路群Ｂの２行ずつ（すなわち選択単位毎に）順次に実行される。
【００２５】
他方、右眼用期間ＰRの各単位期間Ｕ（Ｕ1，Ｕ2）の第２書込期間Ｗ2のうち第2k行の走査線３２が選択される選択期間Ｈ[k]において、信号線駆動回路４４は、図３に符号(B)で示すように、右眼用画像ＧRのうち当該走査線３２（すなわち選択単位のうち特定走査線３２以外の走査線３２）に対応する第2k行の各画素の指定階調ＧR[2k]に応じた電位ＶGの階調信号Ｘ[n]を各信号線３４に供給する。具体的には、選択期間[1]では、右眼用画像ＧRのうち第２行の各画素の指定階調ＧR[2]に応じた電位ＶGの階調信号Ｘ[n]が第２行の各画素回路ＰIXに供給され、選択期間Ｈ[2]では、右眼用画像ＧRのうち第４行の各画素の指定階調ＧR[4]に応じた電位ＶGの階調信号Ｘ[n]が第４行の各画素回路ＰIXに供給される。他方、奇数行（すなわち各選択単位での特定走査線３２）に対応する各画素回路ＰIXの液晶素子ＣLの印加電圧は、直前の第１書込期間Ｗ1での印加電圧に保持される。したがって、第１書込期間Ｗ1の終点ではＹ方向に半分の解像度で表示されていた右眼用画像ＧRが、第２書込期間Ｗ2の終点では所期の解像度（Ｍ行×Ｎ列）の右眼用画像ＧRに更新される。
【００２６】
左眼用期間ＰLの各単位期間Ｕの第２書込期間Ｗ2でも同様に、図３に符号(D)で示すように、第2k行の走査線３２が選択される選択期間Ｈ[k]において、左眼用画像ＧLのうち当該走査線３２に対応する第2k行の各画素の指定階調ＧL[2k]に応じた電位ＶGの階調信号Ｘ[n]を各信号線３４に供給する。例えば選択期間[1]では、左眼用画像ＧLのうち第２行の各画素の指定階調ＧL[2]に応じた電位ＶGの階調信号Ｘ[n]が第２行の各画素回路ＰIXに供給され、選択期間Ｈ[2]では、左眼用画像ＧLのうち第４行の各画素の指定階調ＧL[4]に応じた電位ＶGの階調信号Ｘ[n]が第４行の各画素回路ＰIXに供給される。以上に説明した通り、右眼用期間ＰRおよび左眼用期間ＰLの各々の第２書込期間Ｗ2では、第１書込期間Ｗ1での各選択単位のうち特定走査線３２以外の走査線３２に対応する各画素回路ＰIX（すなわち１行おきに選択された各画素回路ＰIX）について電位ＶGの供給（書込）が選択期間Ｈ[k]毎に順次に実行される。
【００２７】
右眼用期間ＰR内の最初の第１書込期間Ｗ1では、直前の左眼用期間ＰL（単位期間Ｕ2内の第２書込期間Ｗ2）で表示された左眼用画像ＧLが各選択期間Ｈ[k]にて２行毎に右眼用画像ＧRに変更され、左眼用期間ＰL内の最初の第１書込期間Ｗ1では、直前の右眼用期間ＰRで表示された右眼用画像ＧRが各選択期間Ｈ[k]にて２行毎に左眼用画像ＧLに変更される。すなわち、右眼用期間ＰRおよび左眼用期間ＰLの各々の最初の第１書込期間Ｗ1では右眼用画像ＧRと左眼用画像ＧLとが混在する。
【００２８】
制御回路１４の眼鏡制御回路１４４は、立体視用眼鏡２０の右眼用シャッター２２および左眼用シャッター２４の各々の状態（開状態／閉状態）を電気光学パネル１２の動作に同期して制御する。すなわち、眼鏡制御回路１４４は、図３に示すように、右眼用期間ＰRの最初の第１書込期間Ｗ1の始点から所定の時間が経過した時点で右眼用シャッター２２を閉状態から開状態に変化させ、左眼用期間ＰLの始点にて右眼用シャッター２２を開状態から閉状態に変化させたうえで左眼用期間ＰLの全体で閉状態に維持する。具体的には、右眼用期間ＰRの最初の第１書込期間Ｗ1の終点で右眼用シャッター２２は閉状態から開状態に遷移する。同様に、眼鏡制御回路１４４は、左眼用期間ＰLの最初の第１書込期間Ｗ1の始点から所定の時間が経過した時点で左眼用シャッター２４を閉状態から開状態に変化させ、右眼用期間ＰRの始点にて左眼用シャッター２４を開状態から閉状態に変化させたうえで右眼用期間ＰRの全体で閉状態に維持する。具体的には、左眼用期間ＰLの最初の第１書込期間Ｗ1の終点で左眼用シャッター２４は閉状態から開状態に遷移する。
【００２９】
したがって、右眼用期間ＰRのうち単位期間Ｕ1内の第２書込期間Ｗ2と直後の単位期間Ｕ2とで表示される右眼用画像ＧRは右眼用シャッター２２を透過して観察者の右眼に到達するとともに左眼用シャッター２４で遮断される。他方、左眼用期間ＰLのうち単位期間Ｕ1内の第２書込期間Ｗ2と直後の単位期間Ｕ2とで表示される左眼用画像ＧLは左眼用シャッター２４を透過して観察者の左眼に到達するとともに右眼用シャッター２２で遮断される。右眼用シャッター２２を透過した右眼用画像ＧRを右眼で視認するとともに左眼用シャッター２４を透過した左眼用画像ＧLを左眼で視認することで、観察者は表示画像に立体感を知覚する。
【００３０】
図３に示すように、右眼用期間ＰRおよび左眼用期間ＰLの最初の第１書込期間Ｗ1では右眼用シャッター２２および左眼用シャッター２４の双方が閉状態に制御される。前述のように最初の第１書込期間Ｗ1では表示画像が右眼用画像ＧRおよび左眼用画像ＧLの一方から他方に２行毎に変化するが、右眼用シャッター２２および左眼用シャッター２４の双方が閉状態に維持されるから、右眼用画像ＧRと左眼用画像ＧLとの混在（クロストーク）は観察者に知覚されない。すなわち、右眼用画像ＧRと左眼用画像ＧLとが確実に右眼および左眼に分離されるから、観察者に明確な立体感を知覚させることが可能である。
【００３１】
以上の形態においては、各第１書込期間Ｗ1では画素回路群Ｂを２行単位で選択して各画素回路ＰIXに階調信号Ｘ[n]（電位ＶG）を供給する。したがって、右眼用期間ＰRおよび左眼用期間ＰLの最初に画素回路群Ｂを１行単位で順次に選択して階調信号Ｘ[n]を供給する構成と比較すると、右眼用画像ＧRと左眼用画像ＧLとが混在する期間（すなわち右眼用シャッター２２および左眼用シャッター２４の双方を閉状態に維持すべき期間）の時間長が短縮される。すなわち、右眼用シャッター２２および左眼用シャッター２４の一方を開状態に維持する時間長が充分に確保される。したがって、観察者が認識する表示画像の明るさを向上することが可能である。なお、第１書込期間Ｗ1では表示画像のＹ方向の解像度が低下するが、直後の第２書込期間Ｗ2では特定走査線３２以外の走査線３２に対応する各画素回路ＰIXに階調信号Ｘ[n]が供給されるから、表示画像の解像度の低下は観察者に殆ど認識されない。
【００３２】
また、第１実施形態では、右眼用期間ＰRおよび左眼用期間ＰLの各々が複数の単位期間Ｕを含み、相前後する各単位期間Ｕで液晶素子ＣLの印加電圧の極性が反転される。すなわち、例えば右眼用期間ＰRと左眼用期間ＰLとで液晶素子ＣLの印加電圧の極性を反転させる場合と比較して液晶素子ＣLの印加電圧の極性反転の周期が短縮されるから、直流成分の印加に起因した液晶素子ＣLの特性劣化を有効に防止できるという利点がある。
【００３３】
なお、右眼用画像ＧRと左眼用画像ＧLとでは各画素の指定階調が相違するから、右眼用期間ＰRと左眼用期間ＰLとで液晶素子ＣLの印加電圧の極性を反転させる構成では、例えば右眼用期間ＰRにて液晶素子ＣLに印加される正極性電圧と左眼用期間ＰLにて液晶素子ＣLに印加される負極性電圧との差異が顕著となり、液晶素子ＣLに対する直流成分の印加を抑制することが困難となる。他方、第１実施形態では、右眼用画像ＧRが表示される右眼用期間ＰR内の単位期間Ｕ毎に液晶素子ＣLの印加電圧の極性が反転され、かつ、左眼用画像ＧLが表示される左眼用期間ＰL内の単位期間Ｕ毎に液晶素子ＣLの印加電圧の極性が反転される。したがって、右眼用画像ＧRと左眼用画像ＧLとの相違に関わらず、液晶素子ＣLの印加電圧の極性の偏向（直流成分の残留）を有効に抑制できるという利点がある。以上の例示では特に、右眼用期間ＰRおよび左眼用期間ＰLの各々が偶数個の単位期間Ｕを含むから、右眼用期間ＰRおよび左眼用期間ＰLの各々において、各画素回路ＰIXの液晶素子ＣLに正極性電圧が印加される時間長と負極性電圧が印加される時間長とが均等化される。したがって、液晶素子ＣLの印加電圧の極性の偏向を抑制できるという効果は格別に顕著である。
【００３４】
＜Ｂ：第２実施形態＞
本発明の第２実施形態を以下に説明する。なお、以下に例示する各形態において作用や機能が第１実施形態と同等である要素については、以上の説明で参照した符号を流用して各々の詳細な説明を適宜に省略する。
【００３５】
図５は、第２実施形態における走査線駆動回路４２の動作の説明図である。第１実施形態では、第１書込期間Ｗ1の各選択期間Ｈ[k]で同時に選択する複数の走査線３２（選択単位）の組合せを単位期間Ｕ1と単位期間Ｕ2とで共通させた。第２実施形態では、第１書込期間Ｗ1にて選択単位として選択する走査線３２の組合せを単位期間Ｕ1と単位期間Ｕ2とで相違させる。
【００３６】
具体的には、右眼用期間ＰRおよび左眼用期間ＰLの各々における単位期間Ｕ1の第１書込期間Ｗ1では、走査線駆動回路４２は、第１実施形態と同様に、第(2k-1)行の走査線３２と第2k行の走査線３２との組合せを選択単位として選択期間Ｈ[k]毎に順次に選択する。すなわち、図６に符号(A)で示すように、例えば選択期間Ｈ[1]では第１行の走査線３２と第２行の走査線３２とが同時に選択され、選択期間Ｈ[2]では第３行の走査線３２と第４行の走査線３２とが同時に選択される。そして、第１書込期間Ｗ1内の各選択期間Ｈ[k]では、右眼用画像ＧRまたは左眼用画像ＧLのうち第(2k-1)行の走査線３２（特定走査線３２）に対応する各画素の指定階調（ＧR[2k-1]，ＧL[2k-1]）に応じた電位ＶGが選択単位の各画素回路ＰIXに供給される。また、図６に符号(B)で示すように、直後の第２書込期間Ｗ2では選択単位のうち特定走査線３２以外の走査線３２に対応する各画素回路ＰIXに電位ＶGの階調信号Ｘ[n]が供給される。
【００３７】
他方、右眼用期間ＰRおよび左眼用期間ＰLの各々における単位期間Ｕ2の第１書込期間Ｗ1では、図６に符号(C)で示すように、走査線駆動回路４２は、第2k行の走査線３２と第(2k+1)行の走査線３２との組合せを選択単位として選択期間Ｈ[k]毎に順次に選択する。具体的には、図５に示すように、第１書込期間Ｗ1内の第ｋ番目の選択期間Ｈ[k]では、偶数行の走査信号Ｙ[2k]と奇数行の走査信号Ｙ[2k+1]とが同時に選択電位に設定される。すなわち、例えば選択期間Ｈ[1]では第２行の走査線３２と第３行の走査線３２とが同時に選択され、選択期間Ｈ[2]では第４行の走査線３２と第５行の走査線３２とが同時に選択される。単位期間Ｕ2内の第１書込期間Ｗ1の各選択期間Ｈ[k]では第2k行の走査線３２が特定走査線３２として選定される。すなわち、各選択期間Ｈ[k]では、右眼用画像ＧRまたは左眼用画像ＧLのうち第2k行の走査線３２（特定走査線３２）に対応する各画素の指定階調（ＧR[2k]，ＧL[2k]）に応じた電位ＶGが選択単位（２行分）の各画素回路ＰIXに供給される。
【００３８】
以上の説明から理解されるように、第１書込期間Ｗ1にて各選択単位を構成する２本の走査線３２の組合せ（すなわち電位ＶGの供給対象となる画素回路群Ｂの組合せ）は単位期間Ｕ1と単位期間Ｕ2とで１行分だけずれた関係となる。ただし、各画素回路ＰIXに対する電位ＶGの供給（書込）が画素回路群Ｂの２行ずつ選択期間Ｈ[k]毎に順次に実行されるという動作は単位期間Ｕ1と単位期間Ｕ2とで同様である。
【００３９】
単位期間Ｕ2内の第２書込期間Ｗ2では、各選択単位のうち特定走査線３２以外の走査線３２に対応する各画素回路ＰIXに電位ＶGが供給される。すなわち、図６に符号(D)で示すように、第(2k-1)行（第１行，第３行，第５行，……）の各走査線３２が順次に選択されるとともに右眼用画像ＧRおよび左眼用画像ＧLのうち当該走査線３２に対応する各画素の指定階調（ＧR[2k-1]，ＧL[2k-1]）に応じた電位ＶGの階調信号Ｘ[n]が各信号線３４に供給される。すなわち、第２書込期間Ｗ2にて選択される走査線３２（電位ＶGの供給対象となる画素回路群Ｂ）は単位期間Ｕ1と単位期間Ｕ2とで相違する。
【００４０】
第２実施形態においても第１実施形態と同様の効果が実現される。ところで、Ｍ本の走査線３２のうち特定走査線３２に対応する各画素回路ＰIXについては各単位期間Ｕ内で１回だけ電位ＶGの供給が実行され、特定走査線３２以外の走査線３２に対応する各画素回路ＰIXには単位期間Ｕ内で２回の電位ＶGの供給が実行されるという相違がある。そして、特定走査線３２の各画素回路ＰIXとそれ以外の走査線３２の各画素回路ＰIXとでは、各々に供給される電位ＶGが仮に相等しい場合（すなわち同等の階調が指定された場合）でも、電位ＶGの供給回数（あるいは供給間隔）の差異に起因して表示階調に相違が発生し得る。第１実施形態では、奇数行の各走査線３２が固定的に特定走査線３２とされるから、画素部３０内の全部の画素回路ＰIXに同等の電位ＶGを供給した場合でも、各画素回路ＰIXの表示階調が奇数行と偶数行とで相違する（すなわち行単位の表示斑が発生する）可能性がある。他方、第２実施形態では、単位期間Ｕ1にて奇数行の各走査線３２が特定走査線３２とされ、単位期間Ｕ2内では偶数行の各走査線３２が特定走査線３２とされる。したがって、奇数行の各画素回路ＰIXの表示階調と偶数行の各画素回路ＰIXの表示階調との相違（表示斑）が観察者に知覚され難くなるという利点がある。
【００４１】
＜Ｃ：変形例＞
以上の各形態は多様に変形され得る。具体的な変形の態様を以下に例示する。以下の例示から任意に選択された２以上の態様は、相互に矛盾しない範囲内で適宜に併合され得る。
【００４２】
（１）変形例１  
第１書込期間Ｗ1にて同時に選択する走査線３２の本数（選択単位を構成する走査線３２の本数）は、以上に例示した２本に限定されない。選択単位を構成する走査線３２の本数をＨ本と一般化した場合、各単位期間ＵがＨ個の書込期間Ｗ1〜ＷHに区分される。そして、各単位期間Ｕのうち最初の書込期間Ｗ1では選択単位（Ｈ本の走査線３２）がＫ個（Ｋ＝Ｍ/Ｈ）の選択期間Ｈ[1]〜Ｈ[K]の各々で順次に同時に選択され、かつ、右眼用画像ＧRまたは左眼用画像ＧLのうち特定走査線３２に対応する各画素の指定階調に応じた電位ＶGが選択単位内の各画素回路ＰIXに供給される。また、単位期間Ｕ内の第２番目以降の各書込期間Ｗh（ｈ＝２〜Ｈ）では、選択単位内の第ｈ番目の１本の走査線３２が選択され、かつ、右眼用画像ＧRまたは左眼用画像ＧLのうち当該走査線３２に対応する各画素の指定階調に応じた電位ＶGが供給される。選択単位を構成する走査線３２の組合せを単位期間Ｕ毎に相違させる第２実施形態の構成も同様に採用される。
【００４３】
（２）変形例２  
以上の各形態では、右眼用期間ＰRのうち最初の第１書込期間Ｗ1の終点にて右眼用シャッター２２を閉状態から開状態に変化させたが、右眼用シャッター２２を開状態に変化させる時期は適宜に変更される。例えば、右眼用期間ＰRの最初の第１書込期間Ｗ1の終点以前に右眼用シャッター２２を開状態に変更する構成では、第１書込期間Ｗ1内での右眼用画像ＧRと左眼用画像ＧLとの混在が観察者に若干は知覚されるが、表示画像の明度を向上させることが可能である。他方、右眼用期間ＰRの最初の第１書込期間Ｗ1の終点以降の時点で右眼用シャッター２２を開状態に変更する構成では、右眼用画像ＧRと左眼用画像ＧLとの混在が観察者に知覚されることを確実に防止することが可能である。すなわち、右眼用シャッター２２を開状態に変化させる時期は、右眼用期間ＰRのうち最初の第１書込期間Ｗ1の始点から所定の時間（すなわち右眼用画像ＧRと左眼用画像ＧLとの混在が利用者に知覚されることを防止する必要がある期間）が経過した時点として包括され、右眼用画像ＧRと左眼用画像ＧLとの混在を利用者に知覚されることの防止と表示画像の明度の確保との優先度（バランス）に応じて適宜に選定される。左眼用期間ＰL内で左眼用シャッター２４を閉状態から開状態に変化させる時期も同様であり、左眼用期間ＰLのうち最初の第１書込期間Ｗ1の始点から所定の時間が経過した任意の時点が、右眼用画像ＧRと左眼用画像ＧLとの混在が利用者に知覚されることの防止と表示画像の明度の確保との優先度に応じて適宜に選定される。また、右眼用画像ＧRと左眼用画像ＧLとの混在が利用者に知覚され難い開閉の時期は、右眼用シャッター２２および左眼用シャッター２４の応答特性と電気光学パネル１２（液晶素子ＣL）の応答特性との関係に応じて変化する。したがって、右眼用シャッター２２および左眼用シャッター２４の各々を開状態および閉状態の一方から他方に変化させる時期を、立体視用眼鏡２０の応答特性と電気光学パネル１２の応答特性との関係に応じて選定した構成も好適である。
【００４４】
同様に、右眼用シャッター２２を開状態から閉状態に変化させる時期は、右眼用期間ＰRの終点（左眼用期間ＰLの始点）に限定されない。例えば、右眼用期間ＰRの終点を含む所定の期間内（終点の到来前または経過後）に右眼用シャッター２２を閉状態に変化させることも可能である。また、左眼用シャッター２４を開状態から閉状態に変化させる時期も任意であり、例えば、左眼用期間ＰLの終点（右眼用期間ＰRの始点）を含む所定の期間内に左眼用シャッター２４を閉状態に変化させる構成も採用され得る。
【００４５】
（３）変形例３  
液晶素子ＣLの印加電圧の極性を反転させる周期は本発明において任意である。例えば、右眼用期間ＰRと左眼用期間ＰLとで印加電圧の極性を反転させる構成や、右眼用期間ＰRと左眼用期間ＰLとの対を１周期として印加電圧の極性を反転させる構成が採用され得る。
【００４６】
（４）変形例４  
右眼用期間ＰRおよび左眼用期間ＰLの各々に含まれる単位期間Ｕの個数は任意である。例えば右眼用期間ＰRおよび左眼用期間ＰLの各々が３個以上の単位期間Ｕを含む構成も採用され得る。もっとも、液晶素子ＣLの印加電圧の極性を単位期間Ｕ毎に反転させる構成のもとで液晶素子ＣLに対する直流成分の印加を有効に防止するという観点からすると、前述のように右眼用期間ＰRおよび左眼用期間ＰLの各々が偶数個の単位期間Ｕを含む構成が格別に好適である。
【００４７】
（５）変形例５  
電気光学素子は液晶素子ＣLに限定されない。例えば、電気泳動素子を電気光学素子として利用することも可能である。すなわち、電位光学素子は、電気的な作用（例えば電圧の印加）に応じて光学的な特性（例えば透過率）が変化する表示素子として包括される。
【００４８】
＜Ｄ：応用例＞
以上の各形態に例示した電気光学装置１０は、各種の電子機器に利用され得る。図７から図９には、電気光学装置１０を採用した電子機器の具体的な形態が例示されている。
【００４９】
図７は、電気光学装置１０を採用した可搬型のパーソナルコンピューターの斜視図である。パーソナルコンピューター２０００は、各種の画像を表示する電気光学装置１０と、電源スイッチ２００１やキーボード２００２が設置された本体部２０１０とを具備する。
【００５０】
図８は、電気光学装置１０を適用した携帯電話機の斜視図である。携帯電話機３０００は、複数の操作ボタン３００１およびスクロールボタン３００２と、各種の画像を表示する電気光学装置１０とを備える。スクロールボタン３００２を操作することによって、電気光学装置１０に表示される画面がスクロールされる。
【００５１】
図９は、電気光学装置１０を適用した投射型表示装置（３板式のプロジェクター）４０００の模式図である。投射型表示装置４０００は、相異なる表示色（赤色，緑色，青色）に対応する３個の電気光学装置１０（１０R，１０G，１０B）を含んで構成される。照明光学系４００１は、照明装置（光源）４００２からの出射光のうち赤色成分ｒを電気光学装置１０Rに供給し、緑色成分ｇを電気光学装置１０Gに供給し、青色成分ｂを電気光学装置１０Bに供給する。各電気光学装置１０は、照明光学系４００１から供給される各単色光を表示画像に応じて変調する光変調器（ライトバルブ）として機能する。投射光学系４００３は、各電気光学装置１０からの出射光を合成して投射面４００４に投射する。観察者は、投射面４００４に投射された立体視画像を立体視用眼鏡２０で視認する。
【００５２】
なお、本発明に係る電気光学装置が適用される電子機器としては、図７から図９に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【００５３】
１００……立体視表示装置、１０……電気光学装置、１２……電気光学パネル、１４……制御回路、１４２……表示制御回路、１４４……眼鏡制御回路、２０……立体視用眼鏡、２２……右眼用シャッター、２４……左眼用シャッター、３０……画素部、ＰIX……画素回路、ＣL……液晶素子、ＳW……選択スイッチ、３２……走査線、３４……信号線、４０……駆動回路、４２……走査線駆動回路、４４……信号線駆動回路。
【図１】
2015179296.tif 000003
【図２】
2015179296.tif 000004
【図３】
2015179296.tif 000005
【図４】
2015179296.tif 000006
【図５】
2015179296.tif 000007
【図６】
2015179296.tif 000008
【図７】
2015179296.tif 000009
【図８】
2015179296.tif 000010
【図９】
2015179296.tif 000011
【図１０】
2015179296.tif 000012
【手続補正書】
【提出日】平成27年7月30日(2015.7.30)
【手続補正１】
【補正対象書類名】特許請求の範囲
【補正対象項目名】全文
【補正方法】変更
【補正の内容】
【特許請求の範囲】
【請求項１】
右眼用シャッターと左眼用シャッターとを含む立体視用眼鏡で立体視される右眼用および左眼用の画像を表示する電気光学装置であって、
複数の走査線と、
前記複数の走査線に交差する信号線と、
前記走査線と前記信号線との交差に対応して配置された画素と、
右眼用期間および左眼用期間の各々に含まれる第１書込期間において、前記複数の走査線をＨ本（Ｈは２以上の自然数）ずつ選択し、右眼用または左眼用の画像のうち前記Ｈ本の走査線のうち第１走査線に対応する画素の画像信号を前記信号線に供給する一方、前記第１書込期間の経過後の第２書込期間において、前記Ｈ本の走査線のうち前記第１走査線以外の第２走査線を選択し、右眼用または左眼用の画像のうち前記第２走査線に対応する画素の画像信号を前記信号線に供給する駆動回路と、
前記右眼用期間において前記左眼用シャッターを閉状態に制御するとともに当該右眼用期間の始点から所定の時間が経過した時点で前記右眼用シャッターを閉状態から開状態に変化させ、前記左眼用期間において前記右眼用シャッターを閉状態に制御するとともに当該左眼用期間の始点から所定の時間が経過した時点で前記左眼用シャッターを閉状態から開状態に変化させる眼鏡制御回路と
を具備する電気光学装置。
【請求項２】
前記眼鏡制御回路は、前記右眼用期間の半分以上の時間長にわたり前記右眼用シャッターを開状態に制御し、前記左眼用期間の半分以上の時間長にわたり前記左眼用シャッターを開状態に制御する
請求項１の電気光学装置。
【請求項３】
前記眼鏡制御回路は、前記右眼用期間の４分の３以上の時間長にわたり前記右眼用シャッターを開状態に制御し、前記左眼用期間の４分の３以上の時間長にわたり前記左眼用シャッターを開状態に制御する
請求項２の電気光学装置。
【請求項４】
前記右眼用期間および前記左眼用期間は、複数の単位期間を含み、前記複数の単位期間の各々が、前記第１書込期間および前記第２書込期間を含み、
前記駆動回路は、相前後する各単位期間における前記画素の印加電圧が逆極性となるように前記信号線に画像信号を供給し、
前記眼鏡制御回路は、前記右眼用期間の最初の単位期間における前記第１書込期間の終点で前記右眼用シャッターを閉状態から開状態に変化させ、前記左眼用期間の最初の単位期間における前記第１書込期間の終点で前記左眼用シャッターを閉状態から開状態に変化させる
請求項１または請求項２の電気光学装置。
【請求項５】
請求項１から請求項４の何れかの電気光学装置を具備する電子機器。